(57)【要約】【課題】ＰＣとＵＳＢ−ＤＡＣとを利用して音楽再生を行う際、利便性の向上と不要ノイズの低減を図る。【解決手段】ＰＣ１の起動時に自動起動する音楽再生プログラムであって、スマートフォンやタブレット等の他のコンピュータ２にインストールされた遠隔操作専用アプリを利用した遠隔操作により、音楽再生時にＰＣ１の基本ソフトのログイン操作をはじめとするＰＣ１側の操作を不要とし、ログインを不要とすることで音楽再生時に音楽再生に不要なプログラム動作を低減させ、それに伴って発生し再生音楽に重畳するノイズを低減し、高音質の音楽再生ができる自動起動型音楽再生プログラムを特徴とする。【選択図】      図６
2017097508.tif 000002
【特許請求の範囲】
【請求項１】
パーソナルコンピュータにインストールされ、当該パーソナルコンピュータを音楽再生用プレーヤとして動作させる自動起動型音楽再生プログラムであって、
パーソナルコンピュータにインストールされた基本ソフト（ＯＳ）のブート時にユーザのログイン手続なしに自動起動するステップと、
自動的にスマートフォン、タブレットを含む他のコンピュータにインストールされた専用の遠隔操作用アプリからの音楽再生の操作を受信するステップと、
前記他のコンピュータにインストールされた前記専用の遠隔操作用アプリからの音楽再生操作信号を受信して、当該パーソナルコンピュータに内蔵も若しくは外部接続されている記憶装置に保存されている音楽ファイルを読み出してデコードし外部に出力するステップとを、
前記パーソナルコンピュータに実行させることを特徴とする自動起動型音楽再生プログラム。
【請求項２】
前記他のコンピュータに連携する自身のＩＰアドレスを定期的に取得するステップであって、前記定期的なＩＰアドレス取得のタイミングとして音楽再生時を避けることで再生時の余分な動作を行わず再生音質への影響を避けるステップを、前記パーソナルコンピュータに実行させることを特徴とする請求項１に記載の自動起動型音楽再生プログラム。
【発明の詳細な説明】
【技術分野】
【０００１】
本発明は、パーソナルコンピュータからＵＳＢ−ＤＡＣ等のデジタル・アナログ変換装置あるいは同デジタル・アナログ変換機能を内蔵したオーディオ装置に対してハイレゾ音源を含むデジタル音楽データを出力させる自動起動型音楽再生プログラムに関する。
【背景技術】
【０００２】
近年、パーソナルコンピュータを音楽再生プレーヤとして利用し音楽を視聴することが広く行われている。
【０００３】
ところが、パーソナルコンピュータを利用した音楽再生は、ネットワークプレーヤのような専用の音楽再生機器を利用した場合に比べてスイッチオン操作だけではなく、基本ソフトのログイン操作やソフトウェアの起動操作を行う必要があるなど、利便性に劣る問題点があった。加えて、パーソナルコンピュータは汎用目的に設計されているため、基本ソフト（ＯＳ）のログインを契機に音楽再生には関係のない多種多様なプログラムが起動されることが多く、それらのプログラムの起動により再生音に雑多なノイズが乗り、高音質の音楽再生ができない問題点があった。
【先行技術文献】
【特許文献】
【０００４】
【特許文献１】特開２０１５−１２６４６０号公報
【特許文献２】特開２０１５−１４９６９０号公報
【発明の概要】
【発明が解決しようとする課題】
【０００５】
本発明は、パーソナルコンピュータにインストールすることにより、ブート時に基本ソフト（ＯＳ）のログイン操作を行わないで自動起動し、いわば基本ソフト（ＯＳ）のログイン待ち画面のままあるいはそのログイン待ち画面で省電力機能によりディスプレイが消灯した状態で音源再生でき、しかもハイレゾ音源をも超高忠実に再生して出力することができる自動起動型音楽再生プログラムを提供することを目的とする。
【課題を解決するための手段】
【０００６】
本発明は、これをパーソナルコンピュータにインストールすることにより当該パーソナルコンピュータの基本ソフトの起動時（ブート時）にサービスプログラムとして自動起動し、スマートフォンやタブレットを含む他のコンピュータで動作する専用アプリからの再生指令・停止指令等の指令に応じて音楽再生や再生停止などの動作を行わせることができる自動起動型音楽再生プログラムを特徴とする。
【０００７】
さらに詳しくは、本発明は、パーソナルコンピュータにインストールされ、当該パーソナルコンピュータを音楽再生用プレーヤとして動作させる自動起動型音楽再生プログラムであって、パーソナルコンピュータにインストールされた基本ソフト（ＯＳ）のブート時にユーザのログイン手続なしに自動起動するステップと、自動的にスマートフォン、タブレットを含む他のコンピュータにインストールされた専用の遠隔操作用アプリからの音楽再生の操作を受信するステップと、前記他のコンピュータにインストールされた前記専用の遠隔操作用アプリからの音楽再生操作信号を受信して、当該パーソナルコンピュータに内蔵若しくは外部接続されている記憶装置に保存されている音楽ファイルを読み出してデコードし外部に出力するステップとを前記パーソナルコンピュータに実行させる自動起動型音楽再生プログラムを特徴とする。
【０００８】
上記自動起動型音楽再生プログラムにおいては、前記他のコンピュータに連携する自身のＩＰアドレスを定期的に取得するステップであって、前記定期的なＩＰアドレス取得のタイミングとして音楽再生時を避けることで再生時の余分な動作を行わず再生音質への影響を避けるステップを前記パーソナルコンピュータに実行させるものとすることができる。
【発明の効果】
【０００９】
本発明によれば、パーソナルコンピュータにＵＳＢ−ＤＡＣ等の再生装置を接続して音楽再生を行う際、利便性の向上と不要ノイズを低減し高音質化が図れる。
【００１０】
また本発明によれば、パーソナルコンピュータにおいて基本ソフトの起動時にログイン手続なしに自動起動し、スマートフォンやタブレット等の他のコンピュータから専用アプリを利用し通信機能を介して遠隔操作することによって音楽再生ができ、かつその音楽再生時にパーソナルコンピュータ側では電源投入操作以外の操作は不要にし、音楽再生に関係のない種々のプログラムの起動数を少なくし、それに伴い、種々のプログラムの起動により種々の源から発するノイズがデコードさせ出力される音楽データに重畳するのを回避し、ＵＳＢ−ＤＡＣ等の再生装置にて高音質、高忠実に音楽再生させることができる。
【図面の簡単な説明】
【００１１】
【図１】本発明の１つの実施の形態の自動起動型音楽再生プログラムをインストールし音楽再生を行うシステムの構成を示す説明図。
【図２】上記実施の形態の自動起動型音楽再生プログラムの構成を示す説明図。
【図３Ａ】上記実施の形態の自動起動型音楽再生プログラムにおける設定プログラムの処理機能を示すフローチャートその１。
【図３Ｂ】上記実施の形態の自動起動型音楽再生プログラムにおける設定プログラムの処理機能を示すフローチャートその２。
【図４】上記実施の形態の自動起動型音楽再生プログラムにおけるバージョン管理プログラムの処理機能を示すフローチャート。
【図５】上記実施の形態の自動起動型音楽再生プログラムにおける音楽再生処理プログラムの処理機能を示すフローチャート。
【図６】上記実施の形態の自動起動型音楽再生プログラムにおける音楽再生処理プログラムの処理機能のうち起動処理のフローチャート。
【図７Ａ】上記実施の形態の自動起動型音楽再生プログラムにおける音楽再生処理プログラムの処理機能のうち音楽再生処理のフローチャートその１。
【図７Ｂ】上記実施の形態の自動起動型音楽再生プログラムにおける音楽再生処理プログラムの処理機能のうち音楽再生処理のフローチャートその２。
【図８】上記実施の形態の自動起動型音楽再生プログラムをインストールしたＰＣを携帯端末から操作する手順を示すシーケンス図その１。
【図９】上記実施の形態の自動起動型音楽再生プログラムをインストールしたＰＣを携帯端末から操作する手順を示すシーケンス図その２。
【図１０】携帯端末にインストールした専用アプリによる音楽再生操作用の画面の表示例を示す説明図。
【発明を実施するための形態】
【００１２】
以下、本発明の実施の形態を図に基づいて詳説する。尚、以下の説明では基本ソフト（ＯＳ）としてＷＩＮＤＯＷＳ（登録商標）ソフトをインストールしたパーソナルコンピュータをベースに説明するが、ＯＳ  Ｘ（登録商標）をインストールしたパーソナルコンピュータにも同様に適用することができる。
【００１３】
［システム構成］
図１には、高音質音楽再生システムの構成を示している。当該音楽再生システムは、実施の形態の低ノイズ、高音質の音楽再生を可能とする自動起動型音楽再生プログラムをインストールしたパーソナルコンピュータ（ＰＣ）１、スマートフォンやタブレット端末のような携帯端末２、ＰＣ１に接続されたＵＳＢ−ＤＡＣ３、アンプ（ＡＭＰ）４、スピーカ（ＳＰ）５を備えている。さらに、インターネット接続のためのＷＩＦＩ（登録商標）ルータ８、多数の音楽ファイルを保存するためのストレージとしてＮＡＳ（Ｎｅｔｗｏｒｋ  Ａｔｔａｃｈｅｄ  Ｓｔｏｒａｇｅ）９を備えている。またＰＣ１はインターネット１０を通じて各機器のＩＰアドレスを管理する音楽再生プログラム管理サーバ６、種々の音楽をインターネット配信する音楽配信サーバ７に必要に応じて接続される。ＰＣ１と携帯端末２はＷＩＦＩルータ８を通じてインターネット１０に接続され、インターネット１０上の音楽再生プログラム管理サーバ６、各社が開設している音楽配信サーバ７と接続できる。
【００１４】
ここで、スマートフォンやタブレット端末のような携帯端末２は、実施の形態のＰＣ１上の自動起動型音楽再生プログラムとの通信、リモートコントロールのための専用アプリをインストールするものである。また、ＵＳＢ−ＤＡＣ３については、ＵＳＢ−ＤＡＣの機能を内蔵したアンプであっても、ＵＳＢ−ＤＡＣ装置そのものであってもよいが、以下、ＵＳＢ−ＤＡＣ３と総称して説明する。ＡＭＰ４については、単独のものに代えてアンプ内蔵のＤＡＣを使用することもできる。スピーカ（ＳＰ）５はヘッドフォンに置き換えることもできる。
【００１５】
［再生前の手続］
音楽再生の事前の手続として、ＰＣ１から一あるいは複数の音楽配信サーバ７にログインしてユーザの望む種々のフォーマット形式の音楽をダウンロードし、ＰＣ１内の記憶装置あるいはＮＡＳ９に作成した音楽ファイル保存用のフォルダに保存する。（以下、説明を簡明化するために、ＮＡＳ９を利用して音楽ファイルを保存するものとするが、内蔵式の記憶装置、外付け式の記憶装置やメモリカード等々であってもよい。）
ＮＡＳ９の音楽ファイル保存用のフォルダには種々の音楽毎の音楽ファイルを保存すると共に、複数の楽曲ファイルを含む音楽アルバムのサブフォルダ、アーチスト名のサブフォルダも作成して該当する音楽ファイルをそれらのサブフォルダに保存する。また音楽ファイルのファイル名、音楽アルバムのファイル名等と共にそれらに関連づけられている画像データ（アートワーク）も取得して保存する。これにより、音楽再生時に、携帯端末２において再生可能な曲名リストに曲名毎に対応する画像をアイコンとして表示できるようになる。
【００１６】
［インストール手続］
図２に示すように、実施の形態の自動起動型音楽再生プログラムは、ＰＣ１で最初に基本ソフトを起動し、ログイン手続の後にサービスプログラムとしてインストールするためのインストール処理プログラムＰＲＧ１、基本ソフトの起動の後ログイン手続無しに自動的に最新バージョンにバージョンアップするためのバージョン管理プログラムＰＲＧ２、本実施の形態の特徴をなすサービスプログラムとしての音楽再生処理プログラムＰＲＧ３、そして設定プログラムＰＲＧ４で構成されている。
【００１７】
本実施の形態の自動起動型音楽再生プログラムの全体をインストールする際に、最初に、ユーザはＰＣ１から既知の音楽再生プログラム管理サーバ６にアクセスして、会員登録してＩＤ取得を行う。そして実施の形態の自動起動型音楽再生プログラムデータの全体をダウンロードし、ＰＣ１が内蔵する記憶装置（ハードディスクや半導体メモリ）に保存する。そして、基本ソフトのブート、ログイン手続の後、記憶装置に保存されているインストール処理プログラムＰＲＧ１を起動し、バージョン管理プログラムＰＧＲ２と音楽再生処理プログラムＰＲＧ３と設定プログラムＰＲＧ４をインストールする。
【００１８】
［ＩＰアドレスの設定］
音楽再生プログラム管理サーバ６に対するＰＣ１のＩＰアドレスの登録は、図３Ａ、図３Ｂに示す手順による。インストール処理プログラムＰＲＧ１によりインストールされた設定プログラムＰＲＧ４がユーザの操作により起動されると、設定プログラムＰＲＧ４はログインのためのユーザＩＤとパスワードの入力を要求する（ステップＳ１０１，Ｓ１０３）。
【００１９】
設定プログラムＰＲＧ４はユーザＩＤとパスワードが入力されると音楽再生プログラム管理サーバ６を呼び出す。音楽再生プログラム管理サーバ６はユーザＩＤとパスワードにより認証を行い（ステップＳ１０５）、設定プログラムＰＲＧ４に「ユーザ情報にアクセスするためのキー」を返却する（ステップＳ１０７）。以上によってバージョン管理プログラムＰＲＧ２、音楽再生処理プログラムＰＲＧ３、設定プログラムＰＲＧ４はこの状態をログイン状態として扱う。このログイン状態は後述の設定プログラムＰＲＧ４によるログオフ操作まで維持される。
【００２０】
設定プログラムＰＲＧ４は設定画面を表示し（ステップＳ１０９）、ログイン状態において音楽フォルダの設定・変更、及びログオフの操作を受け付ける（ステップＳ１１１）。音楽フォルダの設定・変更の受付は一覧からの選択方式で行う（ステップＳ１１３）。設定プログラムＰＲＧ４は音楽フォルダの設定の完了時にバージョン管理プログラムＰＲＧ２、音楽再生処理プログラムＰＲＧ３を起動し、さらに自動起動を設定する。尚、バージョン管理プログラムＰＲＧ２、音楽再生処理プログラムＰＲＧ３が起動済みのときは停止と再起動並びに自動起動の再設定を行う（ステップＳ１１５）。またログオフ操作が行われたときは、バージョン管理プログラムＰＲＧ２、音楽再生処理プログラムＰＲＧ３を停止し、自動起動の設定の取り消しを行う（ステップＳ１１７）。キャンセルならば終了する(ステップＳ１１９）。
【００２１】
尚、後述する音楽再生処理プログラムＰＲＧ３では、設定プログラムＰＲＧ４が取得した「ユーザ情報にアクセスするためのキー」を利用して音楽再生プログラム管理サーバ６にＰＣ１のＩＰアドレスを登録する。音楽再生プログラム管理サーバ６はユーザ情報とＩＰアドレスを紐付けた状態で登録する。
【００２２】
［バージョン管理］
バージョン管理は図４のフローチャートに示す手順による。後述する音楽再生処理プログラムＰＲＧ３が起動し、音楽再生しているかどうかを判断し、音楽再生が停止している際に、インターネット１０を通じて音楽再生プログラム管理サーバ６に定期的に最新バージョンの問い合わせを行い、自動的にＩＤ照合を行う（ステップＳ１５１，Ｓ１５３）。そしてインストール済みのバージョン管理プログラムＰＲＧ２、音楽再生処理プログラムＰＲＧ３、設定プログラムＰＲＧ４がバージョンアップされていれば、最新バージョンのプログラムをダウンロードする（ステップＳ１５５）。その後、取得した最新バージョンのプログラムへの差し替えを行う（ステップＳ１５７）。尚、処理を簡素にするために、再生中でもプログラムの更新ができるようにしてもよい。
【００２３】
［音楽再生］
図５のフローチャートに示すように、実施の形態の自動起動型音楽再生プログラムのうちの音楽再生処理プログラムＰＲＧ３は、ＰＣ１の電源をオンし基本ソフト（ＯＳ）を起動させると、そのブートの途中でサービスプログラムとして起動し、つまり、基本ソフトのログイン画面を表示した状態でログイン手続なしに実行可能な状態になり、リモコンとしての携帯端末２からの再生指示があるまで待機する（ステップＳ２０１）。そして、携帯端末２からの再生要求に応じて選択指定された音楽の再生処理を行う（ステップＳ２０３）。
【００２４】
図６に示すように、起動処理ステップＳ２０１では、ＯＳを起動し（ステップＳ２０１１）、自動起動するように登録されている諸サービスプログラムと共にバージョン管理プログラムＰＲＧ２、音楽再生処理プログラムＰＲＧ３を起動する（ステップＳ２０１３）。
【００２５】
この音楽再生処理プログラムＰＲＧ３は、次のようにＰＣ１を動作させる。再生可能なファイル形式は、例示すればＷＡＶ、ＦＬＡＣ、ＡＩＦＦ、ＭＰ３、ＡＡＣ（登録商標）、Ｍ４Ａ、ＷＭＡ、ＤＳＦ、ＤＳＤＩＦＦ等であり、ＰＣＭとＤＳＤ（登録商標）の両方の録音方式に対応している。
【００２６】
音楽再生処理プログラムＰＲＧ３が利用するＡＰＩはＷＡＳＡＰＩとＡＳＩＯであり、これらによって再生中の音楽ファイルをＵＳＢ−ＤＡＣ３にストリーミング形式で出力する。
【００２７】
音楽再生処理プログラムＰＲＧ３はスマートフォンやタブレットのような携帯端末２をリモコン機器として使用し、ＷＩＦＩルータ８を通じてＰＣ１と通信できるように接続する。実際には、ＷＩＦＩルータ８、インターネット１０、音楽再生管理サーバ６を通じて接続する。そのために、携帯端末２とＰＣ１との通信のためには専用アプリを携帯端末２にインストールする。そして通信を可能にするために、携帯端末２側の専用アプリがＰＣ１のＩＰアドレスとポート番号を入手する。
【００２８】
音楽再生処理プログラムＰＲＧ３は、音楽再生プログラム管理サーバ６にユーザ情報（ユーザＩＤ）と紐付けする形式でＰＣ１のＩＰアドレスとポート番号を自動的に登録する。そして携帯端末２で専用アプリを起動すれば、専用アプリが自動的にインターネット１０を通して音楽再生プログラム管理サーバ６にアクセスしてこれを取得し、取得したＩＰアドレスを指定して該当するＰＣ１にアクセスする。これにより、携帯端末２のユーザには、専用アプリを使用することによってあたかもユーザサイト内だけでＷＩＦＩルータ８を介してＰＣ１に接続しているように見えることになる。
【００２９】
音楽再生処理プログラムＰＲＧ３は、自身にアクセスするためのＰＣ１のＩＰアドレスを、音楽再生時を避けて定期的に取得する。新たなＩＰアドレスを取得できたときには音楽再生プログラム管理サーバ６に自動的にアクセスしてこれを登録する。この際、当該音楽再生処理プログラムＰＲＧ３にアクセスするためのポート番号もＩＰアドレスとともに登録する。ＰＣ１のＩＰアドレスは複数個存在することがあり、その場合は取得したすべてのＩＰアドレスを音楽再生プログラム管理サーバ６に登録する。
【００３０】
携帯端末２にインストールする専用アプリは、起動しログイン手続を行うことによって音楽再生プログラム管理サーバ６からＩＰアドレスとポート番号を取得し、ＰＣ１にインストールされている実施の形態の音楽再生プログラムと通信する。複数個のＩＰアドレスとポート番号が取得できた場合は、接続が確立するまで順に接続を試行する。取得したＩＰアドレスとポート番号は携帯端末２内に保存し、２回目以降の接続で再利用する。再起動の際に自動的にＰＣ１との接続ができない場合に音楽再生プログラム管理サーバ６にアクセスし、ＩＰアドレスとポート番号を再取得し、以降、上と同様にしてＰＣ１と通信する。
【００３１】
尚、携帯端末２の専用アプリからの操作指令としては、「再生開始（プレイリスト以外）」、「プレイリスト指定の再生開始」、「停止」、「一時停止」、「シーク」、「一曲前に移動」、「次の曲に移動」、「リピート無し」、「１曲リピート」、「全曲リピート」、「シャッフルオフ」、「シャッフルオン」、「状態取得」、「ライブラリデータ取得」、「アートワーク取得」、「再生デバイスリスト取得」、「再生デバイス指定」、「プレイリストの要求」、「プレイリストの登録」、「プレイリストの削除」、「ライブラリ更新チェックの実行」等が含まれている。
【００３２】
音楽再生プログラム管理サーバ６はユーザ登録が行える機能を備える。ＰＣ１の音楽再生処理プログラムＰＲＧ３と携帯端末２の専用アプリとは、音楽再生プログラム管理サーバ６のユーザ情報にアクセスするためのキーを当該音楽再生プログラム管理サーバ６から取得する。以降、ＰＣ１の音楽再生プログラムからはそのキーを利用しＩＰアドレスとポート番号を音楽再生プログラム管理サーバ６に自動的に登録する。携帯端末２の専用アプリからは音楽再生プログラム管理サーバ６に自動的にアクセスし、当該キーを利用しＩＰアドレスとポート番号を取得する。
【００３３】
音楽ファイルのフォーマット形式や仕様またＵＳＢ−ＤＡＣ３の再生仕様の違いによりデコードに用いる理想的なデコード手段は異なる。そこで、ＰＣ１の音楽再生処理プログラムＰＲＧ３には複数種のデコード手段を保持させている。同時に、各デコード手段に対してＷＡＳＡＰＩ、ＡＳＩＯいずれのＡＰＩを使用するかも登録している。そこで、携帯端末２の再生アプリからの再生要求を受け取ると、該当する音楽ファイルのフォーマット形式に対応したデコード手段を使用し、指定されたデコード手段でデコードした音楽ファイルをあらかじめ決められているＷＡＳＡＰＩ若しくはＡＳＩＯに送り込む。このデコード処理とは、圧縮データの展開やデータの並び順の編集等を指す。ＷＡＳＡＰＩ若しくはＡＳＩＯはストリーミング方式でＵＳＢ−ＤＡＣ３にストリーミングデータを送り出す。そして上述したように、ＵＳＢ−ＤＡＣ３では、入力されてくる音楽ファイルのストリーミングデータの形式に応じてＤＳＤ方式あるいはＰＣＭ方式にてデジタル・アナログ変換を行い、音楽データを高音質、低ノイズのアナログ音楽信号に変換し出力する。
【００３４】
次に、図７Ａ、図７Ｂ、図８、図９を用いて上記実施の形態の自動起動型音楽再生プログラムによりＰＣ１が実行する音楽再生動作を説明する。図７Ａ、図７Ｂを参照し、ＰＣ１の電源オンで基本ソフトが起動し、その後にその基本ソフトのログイン手続無しに音楽再生処理プログラムＰＲＧ３が自動起動する。したがって、音楽再生処理プログラムＰＲＧ３は基本ソフトのログイン手続無しで実行できることになる。起動が完了すれば、ＰＣ１は登録されている音楽再生プログラム管理サーバ６にアクセスし、ＩＰアドレスとポート番号を通知する（ＳＴ１）。
【００３５】
音楽再生処理プログラムＰＲＧ３が起動完了すれば、再生可能な音楽ファイルをサーチし、曲名、アルバム名、アーチスト名と共にリスト（ライブラリ）を作成し、保持する（ＳＴ３）。この音楽ファイルのサーチ段階では、ＰＣ１は前回のリストを保持しており、再起動の度に新規に登録された音楽ファイルをサーチしてリストに新規登録を行い、削除された音楽ファイルをリストから削除する。また既登録の音楽ファイルが更新されていれば登録し直す。さらに音楽ファイルと関連づけられた画像データ、例えば曲のカバー画像データ、音楽アルバムのカバー画像データ、アーチストの画像データも登録する。そして、携帯端末２からの再生要求を待つ（ＳＴ５）。尚、アルバムや曲に画像データがないときに表示させるためにデフォルト画像を用意しておいてもよい。
【００３６】
携帯端末２側では、画面に表示されている専用アプリのアイコンに対して起動操作をすることによって専用アプリを起動する（ＳＴ７）。携帯端末２側ではこの起動操作時にログイン画面による手続が要求される。ログイン手続により、音楽再生プログラム管理サーバ６にアクセスし、ＰＣ１のＩＰアドレス、ポート番号を取得し、音楽再生プログラム管理サーバ６を介してＰＣ１に接続される（ＳＴ９，ＳＴ１１）。接続が完了すれば、携帯端末２は専用アプリの動作によってＰＣ１をいわば音楽プレーヤとしてリモコン操作できる状態になる。このログイン状態は、ユーザがログアウト操作するまで維持する。
【００３７】
接続が完了すれば、携帯端末２側から前回取得時の最も新しいデータの更新日時を指定し、そこからの更新分を音楽再生プログラムＰＲＧ３から取得する（ＳＴ１３）。ＰＣ１に接続され、専用アプリを起動しているすべての携帯端末２はこの音楽ファイルリストを受信し、図１０に示すようにその画面に表示する。このとき、画像データがあれば曲名、アルバム名、アーチスト名等と共にアイコン表示する（ＳＴ１５，ＳＴ１７）。
【００３８】
続いて、ユーザが携帯端末２の画面に表示されている音楽リストからいずれかの曲名、アルバム名あるいはアーチスト名を選択操作すれば（ＳＴ１９）、選択された音楽ファイルの再生要求がＰＣ１側に送信される。この送信要求もＰＣ１のＩＰアドレスを指定して行われる（ＳＴ２１）。
【００３９】
ＰＣ１側で再生要求を受信すると（ＳＴ２３）、ＵＳＢ−ＤＡＣ３側の再生可能なフォーマット形式を取得し、また該当する音楽ファイルを保存しているフォルダからそのファイルを読み出し（ＳＴ２５）、音楽ファイルのフォーマット形式を識別し（ＳＴ２７）、当該識別したフォーマットに関連づけたデコード手段を読み出してデコードさせ、さらにＷＡＳＡＰＩあるいはＡＳＩＯを通してＵＳＢ−ＤＡＣ３にストリーミング形式で送出する（ＳＴ２９，ＳＴ３１）。ＵＳＢ−ＤＡＣ３では、送られてくる音楽データをそのフォーマットに応じてＰＣＭ形式若しくはＤＳＤ形式で順次デジタル・アナログ変換し、アナログ音楽信号にして順次出力する（ＳＴ３３）。こうして、ＵＳＢ−ＤＡＣ３から出力されるアナログ音楽信号をＡＭＰ４を通しスピーカ５から出力すれば、高音質、低ノイズの音楽を聴くことができる。
【００４０】
音楽の再生中、音楽再生処理プログラムは再生を開始した曲の識別子をブロードキャスト方式で送信する（ＳＴ３５）。これによりＰＣ１に接続され専用アプリを起動している携帯端末２が複数あれば、すべての携帯端末２それぞれで識別子から曲名、アルバム名、アーチスト名等を判断しそれぞれの画面に再生中の曲名、アルバム名あるいはアーチスト名を表示する（ＳＴ３７）。
【００４１】
また再生予定のすべての音楽（複数曲再生を指定していた場合には最終曲、アルバム又はアーチストを指定していた場合にはその最後の曲）の再生が完了すれば、音楽再生処理プログラムＰＲＧ３は再生完了した曲の識別子をブロードキャスト方式で送信し（ＳＴ３９，ＳＴ４１）、受信したすべての携帯端末２では受信した識別子から曲名、アルバム名、アーチスト名等を判断しその画面には再生完了した曲名、アルバム名あるいはアーチスト名を表示する（ＳＴ４３）。
【００４２】
一方、いずれの携帯端末２からでも再生停止その他の操作要求が可能であり（ＳＴ４５）、例えば再生停止要求をＰＣ１側で受信すれば再生中の音楽の再生動作を停止し、ＵＳＢ−ＤＡＣ３への出力も停止する（ＳＴ４７）。そしてこの場合にも、音楽再生処理プログラムＰＲＧ３は再生停止した曲の識別子をブロードキャスト方式で送信し（ＳＴ４９）、受信したすべての携帯端末２では受信した識別子から曲名、アルバム名、アーチスト名等を判断しその画面に再生停止した曲名、アルバム名あるいはアーチスト名を表示する（ＳＴ５１）。その他、例えば、一時停止、シーク、前曲への移動、次曲への移動、一曲リピート、全曲リピート等の操作要求についても同様である。
【００４３】
以上の自動起動型音楽再生プログラムによるＰＣ１の動作について説明したが、これをユーザ側から見れば図８、図９に示す操作・動作になる。ユーザは携帯端末２の画面のタッチ操作によって実施の形態の自動起動型音楽再生プログラムを実行しているＰＣ１を遠隔操作し、音楽再生する。
【００４４】
ＳＱ１，ＳＱ３：ユーザはＰＣ１の電源をオンする。これによりＰＣ１は基本ソフト（ＯＳ）を起動し、ログイン操作無しで実施の形態の音楽再生処理プログラムＰＲＧ３も起動する。そしてその起動時に、予め設定されたＮＡＳ９内の音楽フォルダ内の音楽ファイルの追加・更新・削除をチェックする。
【００４５】
ＳＱ５：ユーザは携帯端末２の画面から音楽再生専用アプリのアイコンにタッチして専用アプリを起動する。
【００４６】
ＳＱ７：専用アプリが起動すると、ＰＣ１側の音楽再生処理プログラムＰＲＧ３にアクセスし、音楽ファイルライブラリの更新情報、状態情報を要求する。ここで状態情報とは、現在の再生状態や、リピートシャッフル、使用デバイス（ＤＡＣ）などの情報を指す。
【００４７】
ＳＱ９〜ＳＱ１３：音楽ファイルライブラリは、前回アクセスから更新されたものだけを連携する。そしてライブラリの更新情報、状態情報を携帯端末２に送信する。携帯端末２ではその専用アプリの画面に受信したライブラリ情報、状態情報が表示される。尚、複数台の携帯端末２が使用されている場合、ＰＣ１に接続され専用アプリを起動しているすべての携帯端末２の画面に同じ表示がなされることになる。
【００４８】
ＳＱ１５〜ＳＱ２７：携帯端末２の専用アプリから、例えばアルバムのカバー画像、アーチストのカバー画像、曲のカバー画像等の画像データをＰＣ１側の音楽再生処理プログラムＰＲＧ３に要求する。そしてＰＣ１側では要求を受けた画像データを取得していれば該当する画像データを送信する。携帯端末２は受信した画像データを専用アプリの画面の所定の位置に表示し、ユーザに見せる。
【００４９】
以上により、ＰＣ１側の音楽再生処理プログラムＰＲＧ３の起動と携帯端末２側の専用アプリの起動時に行われる通信手順が完了する。この後、図９に示す手順にて音楽再生が行われる。
【００５０】
ＳＱ５１：図１０に示したように携帯端末２の専用アプリで画面に表示されている曲名、アルバム名、アーチスト名等のアイコンリストから再生したいアイコンにタッチして再生指示を送り出す。
【００５１】
ＳＱ５３：携帯端末２の専用アプリはこの選択を受け付けて該当する曲、アルバムあるいはアーチストを指定して再生指示をＰＣ１側に送信する。
【００５２】
ＳＱ５５，ＳＱ５７：ＰＣ１の音楽再生処理プログラムＰＲＧ３ではＮＡＳ９の所定のフォルダに保存されている指定された音楽ファイルを読み出し適切なデコード手段によってデコードを開始し、ＵＳＢ−ＤＡＣ３に出力を開始する。そして再生開始を携帯端末２側にブロードキャスト方式で通知する。再生開始の通知を受信した各携帯端末２の専用アプリでは、図１０に示すように該当する音楽ファイルのアイコンに対して再生中の表示を行い、ユーザに確認させる。尚、携帯端末２の画面での音楽ファイルのライブラリの画面表示の形態、再生中の音楽の画面表示の形態は特に限定されるものではなく、図１０のものは例示に過ぎない。したがって、再生中の曲に対しては別画面を用意し、再生中の曲名を表示すると共に、再生カウンタをカウントアップし、再生位置をグラフィカルに表示させる等の表示形態を採用することも可能である。
【００５３】
加えて、ＰＣ１の音楽再生プログラムがどこまで再生を続けるかは、再生開始次第で変わる。例えば、アルバムから選択して再生を開始した場合は、アルバム内の音楽ファイルのすべてが終わるまで再生を続ける。アーチストを選択して再生を開始した場合は、アーチストファイル内のすべての音楽ファイルが終わるまで再生を続ける。そして１曲又は複数曲を選択した場合は、一覧の最後の曲まで再生を続ける。さらに、リピートモードのときにはリピート解除されるまでずっと再生を続ける。
【００５４】
ＳＱ５９，ＳＱ６１：ＰＣ１の音楽再生プログラムが次の曲に移る場合には、別の曲の再生を開始したことを携帯端末２にブロードキャスト方式で通知し、専用アプリを起動しているすべての携帯端末２において同時に該当する曲の再生中を表示し、ユーザに知らせる。
【００５５】
ＳＱ６３〜ＳＱ６７：ＰＣ１の音楽再生処理プログラムＰＲＧ３で指定された全曲の再生が終了すれば、再生を停止し待機する。そしてこの再生停止の通知を携帯端末２にブロードキャスト方式で通知し、専用アプリを起動しているすべての携帯端末２において同時に再生停止を表示し、ユーザに知らせる。
【００５６】
以上のように、実施の形態の自動起動型音楽再生プログラムによれば、これをパーソナルコンピュータ（ＰＣ）１にインストールすることにより、ＰＣ１を音楽プレーヤとして携帯端末２からリモコン操作できるようになり、しかもＰＣ１の基本ソフト（ＯＳ）の起動と共に起動するサービスプログラムとして動作するので、基本ソフトを起動しログイン手続をした後に立ち上がる多数のプログラムの影響を受けることがなく、したがって低ノイズの状態で音楽再生ができ、これに対してハイレゾ音源再生のデコード手段を組み込むことによってハイレゾ音源を低ノイズ状態で再生（デコード）して出力でき、ＰＣ１に接続されるＵＳＢ−ＤＡＣ３により高音質の音楽アナログ信号を出力させることが可能である。
【００５７】
尚、上記の実施の形態は一例であり、特にストレージであるＮＡＳ９のような記憶装置に保存する音楽ファイルのフォーマット形式は特に制限されるものではなく、コストとの兼ね合いで増減させ、それぞれに対応するデコード手段も増減させることができる。
【符号の説明】
【００５８】
１  パーソナルコンピュータ（ＰＣ）
２  携帯端末
３  ＵＳＢ−ＤＡＣ
６  音楽再生プログラム管理サーバ
７  音楽配信サーバ
８  （ＷＩＦＩ）ルータ
９  ＮＡＳ
１０  インターネット
【図１】
2017097508.tif 000003
【図２】
2017097508.tif 000004
【図３Ａ】
2017097508.tif 000005
【図３Ｂ】
2017097508.tif 000006
【図４】
2017097508.tif 000007
【図５】
2017097508.tif 000008
【図６】
2017097508.tif 000009
【図７Ａ】
2017097508.tif 000010
【図７Ｂ】
2017097508.tif 000011
【図８】
2017097508.tif 000012
【図９】
2017097508.tif 000013
【図１０】
2017097508.tif 000014